(57)【特許請求の範囲】
【請求項１】
上面に突出したそれぞれの動作表示片が投入動作時に同一方向に移動するように一対の電磁接触器を隣接配置し、これら一対の電磁接触器の上面に跨がって可逆ユニットを装着してなる可逆形電磁接触器において、
前記可逆ユニットは、前記一対の電磁接触器の動作表示片にそれぞれ着脱自在に連結した一対の連動板と、これら一対の連動板の間に連結したロック片と、前記一対の連動板及び前記ロック片を収容し、前記一対の電磁接触器の上面に跨がって装着されたユニットケースとを備え、
前記ロック片は、一方の電磁接触器の投入動作では一方の連動板の移動により第１方向に回動し、且つ他方の連動板の移動を阻止して他方の電磁接触器の釈放動作を保持するとともに、他方の電磁接触器の投入動作では前記他方の連動板の移動により前記第１方向に対して異なる第２方向に回動し、且つ前記一方の連動板の移動を阻止して前記一方の電磁接触器の釈放動作を保持するとともに、
前記ユニットケースに、前記ロック片が前記第１方向、或いは前記第２方向に回動したことを確認できるロック片表示窓が設けられており、
前記ロック片は平面視略三角形状の板状部材であり、当該ロック片の第１頂部及び第２頂部が前記一対の連動板の移動方向の端部にそれぞれ回動自在に連結し、前記ロック片の第３頂部が、前記ロック片表示窓から外部に表示されているとともに、
前記ロック片表示窓を形成している開口周壁に、前記ロック片が前記第１方向、或いは前記第２方向に回動する際に、前記第３頂部の周面であるロック面に当接して前記他方の連動板、或いは前記一方の連動板の移動を阻止する阻止壁が形成されていることを特徴とする可逆形電磁接触器。
【請求項２】
前記ロック片表示窓の周囲の前記ユニットケースの面に、前記ロック片が前記第１方向に回動した方向に前記一方の電磁接触器が投入状態であることを示す第１表示部と、前記ロック片が前記第２方向に回動した方向に前記他方の電磁接触器が投入状態であることを示す第２表示部とが表示されていることを特徴とする請求項１記載の可逆形電磁接触器。
【請求項３】
前記ユニットケース及び前記ロック片は、異なる色彩の部材で形成されていることを特徴とする請求項１又は２記載の可逆形電磁接触器。
【発明の詳細な説明】
【技術分野】
【０００１】
本発明は、隣接配置した２台の電磁接触器に跨がって可逆ユニットを装着した可逆形電磁接触器に関する。
【背景技術】
【０００２】
例えば、誘導電動機の給電回路に接続し、誘導電動機の正逆運転制御を行なう可逆形電磁接触器として、可逆ユニットを、隣接配置した２台の電磁接触器に跨がるように装着し、２台の電磁接触器の同時投入動作（同時ＯＮ動作）を可逆ユニットが機械的にロックする装置が知られている（例えば特許文献１）。
図９及び図１０は、特許文献１に類似した従来の可逆形電磁接触器を示したものである。
図９に示すように、隣接配置した２台の電磁接触器１ａ，１ｂは、消弧カバー２ａ，２ｂに表示窓３ａ，３ｂが設けられており、これら表示窓３ａ，３ｂ内に、装置内部から動作表示片４ａ，４ｂが突出している。
図１０に示すように、一方の電磁接触器１ａの動作表示片４ａは、電磁接触器１ａの内部に配置した可動接点支え４に固定されて表示窓３ａ内に向けて延在する部材であり、図示しないが、他方の電磁接触器１ｂの動作表示片４ｂも、電磁接触器１ｂの内部に配置した可動接点支えに固定されて表示窓３ｂ内に向けて延在する部材である。
【０００３】
可逆ユニット６は、図９に示すように、２台の電磁接触器１ａ，１ｂに跨がった状態で消弧カバー２ａ，２ｂに連結されるユニット底板６ａと、このユニット底板６ａに周縁部同士が係合するユニットカバー６ｂとを有し、これらユニット底板６ａ及びユニットカバー６ｂの内部空間に、ロック機構を構成する第１連動板６ｃ、第２連動板６ｄ及びロック片６ｅが相互に回動自在に連結されている。第１連動板６ｃ及び第２連動板６ｄの端部側の裏面には、筒形状の連結駒６ｆ，６ｇが形成されており、底板６ａに形成した開口部６ｈ，６ｉを通過して外部に突出している。また、第１連動板６ｃ及び第２連動板６ｄの端部側の表面には、可逆ユニット動作表示片６ｋ，６ｍが形成されており、これら可逆ユニット動作表示片６ｋ，６ｍはユニットカバー６ｂに形成した一対の表示窓６ｎ，６ｐ内に突出している。
【０００４】
ユニット底板６ａには複数のフック部６ｊが形成され、消弧カバー２ａ，２ｂにも各フック部６ｊに対応する複数の係合孔２ｃが形成されており、ユニット底板６ａが消弧カバー２ａ，２ｂに当接したときに、複数のフック部６ｊが対応する係合孔２ｃに着脱自在に係合するようになっている。
そして、可逆ユニット６の連結駒６ｆ，６ｇを、２台の電磁接触器１ａ，１ｂの動作表示片４ａ，４ｂの頭部にそれぞれ嵌合状態で連結し、ロック片６ｅが第１連動板６ｃ及び第２連動板６ｄの一方を回動させ、且つ他方を回動規制し、動作表示片４ａ，４ｂの一方のみを移動可能とすることで、２台の電磁接触器１ａ，１ｂの同時投入を機械的にロックするようになっている。
【先行技術文献】
【特許文献】
【０００５】
【特許文献１】特開平３−２６６３２５号公報
【発明の概要】
【発明が解決しようとする課題】
【０００６】
ところで、上記構成の可逆形電磁接触器を給電回路に接続した誘導電動機は、正転運転・逆転運転の確認を、可逆ユニット６の表示窓３ａ，３ｂに突出している可逆ユニット６ｋ，６ｍの位置を確認することで行なっている。
しかし、可逆形電磁接触器を構成する２台の電磁接触器１ａ，１ｂの結線状態を把握していなければ、表示窓３ａ，３ｂの可逆ユニット６ｋ，６ｍの位置を見ただけでは、誘導電動機の正転運転・逆転運転を容易に確認することができない。
そこで、本発明は、上記従来例の未解決の課題に着目してなされたものであり、２台の電磁接触器のうちどちらの電磁接触器が投入動作になっているのか容易に確認することができる可逆ユニットを備えた可逆形電磁接触器を提供することを目的としている。
【課題を解決するための手段】
【０００７】
上記目的を達成するために、請求項１記載の可逆形電磁接触器は、上面に突出したそれぞれの動作表示片が投入動作時に同一方向に移動するように一対の電磁接触器を隣接配置し、これら一対の電磁接触器の上面に跨がって可逆ユニットを装着してなる可逆形電磁接触器において、前記可逆ユニットは、前記一対の電磁接触器の動作表示片にそれぞれ着脱自在に連結した一対の連動板と、これら一対の連動板の間に連結したロック片と、前記一対の連動板及び前記ロック片を収容し、前記一対の電磁接触器の上面に跨がって装着されたユニットケースとを備え、前記ロック片は、一方の電磁接触器の投入動作では一方の連動板の移動により第１方向に回動し、且つ他方の連動板の移動を阻止して他方の電磁接触器の釈放動作を保持するとともに、他方の電磁接触器の投入動作では前記他方の連動板の移動により前記第１方向に対して異なる第２方向に回動し、且つ前記一方の連動板の移動を阻止して前記一方の電磁接触器の釈放動作を保持するとともに、前記ユニットケースに、前記ロック片が前記第１方向、或いは前記第２方向に回動したことを確認できるロック片表示窓が設けられており、前記ロック片は平面視略三角形状の板状部材であり、当該ロック片の第１頂部及び第２頂部が前記一対の連動板の移動方向の端部にそれぞれ回動自在に連結し、前記ロック片の第３頂部が、前記ロック片表示窓から外部に表示されているとともに、前記ロック片表示窓を形成している開口周壁に、前記ロック片が前記第１方向、或いは前記第２方向に回動する際に、前記第３頂部の周面であるロック面に当接して前記他方の連動板、或いは前記一方の連動板の移動を阻止する阻止壁が形成されていることを特徴とする。
【０００８】
この発明によると、可逆ユニットのロック片が、一方の電磁接触器の投入動作では一方の連動板の移動により第１方向に回動し、且つ他方の連動板の移動を阻止して他方の電磁接触器の釈放動作を保持するとともに、他方の電磁接触器の投入動作では他方の連動板の移動により第１方向に対して異なる第２方向に回動し、且つ一方の連動板の移動を阻止して前記一方の電磁接触器の釈放動作を保持するようにしているので、一対の電磁接触器の同時投入状態を確実に防止することができる。
また、この発明によると、ロック片の第３頂部を表示させるロック片表示窓の開口周壁が一対の連動板の阻止壁として機能しているので、特別な部品を追加、或いは複雑な構造を採用することなく、簡便な構造で安価な可逆ユニットを提供することができる。
【０００９】
また、可逆ユニットのロック片表示窓を見た際に、一方の電磁接触器が投入動作を行なっていることをロック片が第１方向に回動していることにより確認でき、或いは、他方の電磁接触器が投入動作を行なっていることをロック片が第２方向に回動していることにより確認することができるので、一対の電磁接触器の釈放状態・投入状態を容易に確認することができる。これにより、本発明の可逆形電磁接触器を給電回路に接続した誘導電動機は、可逆ユニットのロック片表示窓からロック片の回動方向を見るだけで、誘導電動機の正転運転・逆転運転を簡単に確認することがでる。
【００１０】
また、請求項２記載の発明は、請求項１記載の可逆形電磁接触器において、前記ロック片表示窓の周囲の前記ユニットケースの面に、前記ロック片が前記第１方向に回動した方向に前記一方の電磁接触器が投入状態であることを示す第１表示部と、前記ロック片が前記第２方向に回動した方向に前記他方の電磁接触器が投入状態であることを示す第２表示部とが表示されている。
この発明によると、ユニットケースの面に表示された第１表示部及び第２表示部を見るだけで、一対の電磁接触器のどちらが投入状態になっているのかを容易に確認することができる。
また、請求項３記載の発明は、請求項１又は２記載の可逆形電磁接触器において、前記ユニットケース及び前記ロック片は、異なる色彩の部材で形成されている。
この発明によると、ロック片の回動方向を正確に把握することができる。
【発明の効果】
【００１２】
本発明に係る可逆形電磁接触器によれば、可逆ユニットのロック片が、一方の電磁接触器の投入動作では一方の連動板の移動により第１方向に回動し、且つ他方の連動板の移動を阻止して他方の電磁接触器の釈放動作を保持するとともに、他方の電磁接触器の投入動作では他方の連動板の移動により第１方向に対して異なる第２方向に回動し、且つ一方の連動板の移動を阻止して前記一方の電磁接触器の釈放動作を保持するようにしているので、一対の電磁接触器の同時投入状態を確実に防止することができる。
【００１３】
また、可逆ユニットのロック片表示窓を見た際に、一方の電磁接触器が投入動作を行なっていることをロック片が第１方向に回動していることにより確認でき、或いは、他方の電磁接触器が投入動作を行なっていることをロック片が第２方向に回動していることにより確認することができるので、一対の電磁接触器の釈放状態・投入状態を容易に確認することができる。これにより、本発明の可逆形電磁接触器を給電回路に接続した誘導電動機では、可逆ユニットのロック片表示窓からロック片の回動方向を見るだけで、誘導電動機の正転運転・逆転運転を簡単に確認することがでる。
【図面の簡単な説明】
【００１４】
【図１】本発明に係る可逆形電磁接触器を示す斜視図である。
【図２】本発明に係る可逆形電磁接触器を構成する可逆ユニットを示す図である。
【図３】本発明に係る可逆ユニットのロック片表示窓の近傍を示す図である。
【図４】本発明に係る可逆ユニットの内部を示す図である。
【図５】本発明に係る可逆ユニットを構成するロック片を示す図である。
【図６】一対の電磁接触器が釈放状態となっているときの本発明に係る可逆ユニットの動作を示す図である。
【図７】一対の電磁接触器の一方が投入状態となっており、一対の電磁接触器の他方が釈放状態となっているときの本発明に係る可逆ユニットの動作を示す図である。
【図８】一対の電磁接触器の一方が釈放状態となっており、一対の電磁接触器の他方が投入状態となっているときの本発明に係る可逆ユニットの動作を示す図である。
【図９】従来の可逆形電磁接触器を示す分解斜視図である。
【図１０】従来の可逆形電磁接触器を側部から示した要部断面図である。
【発明を実施するための形態】
【００１５】
以下、本発明に係る可逆形電磁接触器を実施するための最良の形態（以下、実施形態という。）を、図面を参照しながら詳細に説明する。なお、図９及び図１０で示した構成と同一構成部分には同一符号を付して説明を省略する。
本実施形態の可逆形電磁接触器は、図１に示すように、２台の電磁接触器１ａ，１ｂが隣接配置され、これら電磁接触器１ａ，１ｂに跨がって可逆ユニット１０が装着されている。
【００１６】
可逆ユニット１０は、図２（ａ）に示すように、２台の電磁接触器１ａ，１ｂに跨がった状態で消弧カバー２ａ，２ｂ（図９参照）に連結される長方形状の底板１０ａと、この底板１０ａの周縁部に一体に装着される有蓋箱状のユニットフレーム１０ｂと、図４に示すように、一体に装着した底板１０ａ及びユニットフレーム１０ｂの内部空間に回動自在に配置した第１連動板１１、第２連動板１２及びロック片１３とを備えている。
【００１７】
底板１０ａは白色系の合成樹脂材からなり、長手方向に離間した位置に矩形状の開口部１０ｃ，１０ｄが形成されている。
ユニットフレーム１０ｂは白色系の合成樹脂からなり、図２（ｂ）に示すように、底板１０ａの開口部１０ｃ，１０ｄにそれぞれ対応する位置である天板１０ｂ１の長手方向に離間した位置に、矩形状に開口した一対の第１表示窓１０ｅ，１０ｆが形成されているとともに、これら一対の第１表示窓１０ｅ，１０ｆの略中間の位置に、第２表示窓１０ｇが形成されている。
【００１８】
第２表示窓１０ｇは、図３に示すように、天板１０ｂ１の長手方向の一方側に位置する開口周壁が、開口面積を狭める方向に山状に膨出して形成され、第１傾斜周壁１０ｇ２及び第２傾斜周壁１０ｇ３が略同一の傾斜角度で周壁頂部１０ｇ１に向けて延在する形状とされている。
周壁頂部１０ｇ１近くの天板１０ｂ１の表面には、「ＯＦＦ」という文字が表記されており、この「ＯＦＦ」という文字を挟んで第１傾斜周壁１０ｇ２側の天板１０ｂ１の表面に、「Ｒ  ＯＮ」（ＲはＲｉｇｈｔの頭文字）という文字が表記されているとともに、「ＯＦＦ」という文字を挟んで第２傾斜周壁１０ｇ３側の天板１０ｂ１の表面に、「Ｌ  ＯＮ」（ＬはＬｅｆｔの頭文字）という文字が表記されている。
【００１９】
第１連動板１１は、図４に示すように、長尺部１１ａの長手方向一端にＬ字状に屈曲して形成した屈曲部１１ｂと、この屈曲部１１ｂの先端部に形成したピン係合穴１１ｃと、長尺部１１ａの長手方向他端側の一方の面に突出して形成した筒形状の連結駒１１ｄと、長尺部１１ａの他端側の他方の面に形成した可逆ユニット動作表示片１１ｅとを備えている。なお、可逆ユニット動作表示片１１ｅは、図４には示しておらず、図１及び図２（ｂ）において第１表示窓１０ｅ内に位置した部材として示している。
【００２０】
第２連動板１２は第１連動板１１と同一形状の部材であり、長尺部１２ａの長手方向一端にＬ字状に屈曲して形成した屈曲部１２ｂと、この屈曲部１２ｂの先端部に形成したピン係合穴１２ｃと、長尺部１２ａの長手方向他端側の一方の面に突出して形成した筒形状の連結駒１２ｄと、長尺部１２ａの他端側の他方の面に形成した可逆ユニット動作表示片１２ｅとを備えている。可逆ユニット動作表示片１２ｅも、図４では記載しておらず、図１及び図２（ｂ）において第１表示窓１０ｆ内に位置した部材として示している。
【００２１】
ロック片１３は、図５（ａ）に示すように、黒色系の合成樹脂で形成されて平面視略三角形状の板状本体１３ａと、この板状本体１３ａの第１頂部１３ｂ及び第２頂部１３ｃ近くの側面から同一方向にそれぞれ突出している回動ピン１３ｄ，１３ｅとを備えた部材であり、ユニットフレーム１０ｂ及び底板１０ａの間に設けた収納凹部１０ｂ２内に回動自在に配置されている。
ここで、図２及び図３に示すように、板状本体１３ａの第３頂部１３ｆは、第２表示窓１０ｇを通して外部から目視可能である。また、第３頂部１３ｆの厚み方向周面は、第２表示窓１０ｇの第１傾斜周壁１０ｇ２及び第２傾斜周壁１０ｇ３に係合するロック面１３ｇとされている。
【００２２】
そして、図５（ｂ）に示すように、収納凹部１０ｂ２に配置したロック片１３の回動ピン１３ｄ及び第１連動板１１のピン係合穴１１ｃをピン結合し、ロック片１３の回動ピン１３ｅ及び第２連動板１２のピン係合穴１２ｃをピン結合することで、ロック片１３を介して連結した第１連動板１１及び第２連動板１２をユニットフレーム１０ｂ内の長手方向に配置するとともに、図２（ｂ）に示すように、第１連動板１１及び第２連動板１２の可逆ユニット動作表示片１１ｅ，１２ｅを、ユニットフレーム１０ｂの天板１０ｂ１に形成した第１表示窓１０ｅ，１０ｆ内に位置させ、図２（ａ）に示すように、第１連動板１１及び第２連動板１２の連結駒１１ｄ，１２ｄを、底板１０ａに形成した開口部１０ｃ，１０ｄを通過して外部に突出させ、底板１０ａ及びユニットフレーム１０ｂの周縁部を一体に装着することで、可逆ユニット１０が組み立てられる。
【００２３】
上記構成の可逆ユニット１０は、底板１０ａの開口部１０ｃ，１０ｄから外部に突出した第１連動板１１及び第２連動板１２の連結駒１１ｄ，１２ｄを、隣接配置した２台の電磁接触器１ａ，１ｂの動作表示片４ａ，４ｂ（図９参照）の頭部にそれぞれ嵌合状態で連結される。
次に、図６から図８は、２台の電磁接触器１ａ，１ｂ（電磁接触器１ａを右側（Ｒ）の電磁接触器１ａと称し、電磁接触器１ｂを左側（Ｌ）の電磁接触器１ｂと称する）に跨がって装着された可逆ユニット１０の動作を示すものである。
【００２４】
図６（ａ），（ｂ）は、右側の電磁接触器１ａ及び左側の電磁接触器１ｂの両者が開路（ＯＦＦ）状態（釈放状態）となったときの可逆ユニット１０の動作を示す図である。
釈放状態の電磁接触器１ａ，１ｂは、動作表示片４ａ，４ｂが表示窓３ａ，３ｂの右側に位置しているので（図９参照）、動作表示片４ａ，４ｂに連結駒１１ｄ，１２ｄが連結している可逆ユニット１０の第１連動板１１及び第２連動板１２は、可逆ユニット動作表示片１１ｅ，１２ｅが第１表示窓１０ｅ，１０ｆの右側に位置するように配置されている。
【００２５】
そして、第１連動板１１及び第２連動板１２にピン結合位置（回動ピン１３ｄ及びピン係合穴１１ｃ、回動ピン１３ｅ及びピン係合穴１２ｃ）を介して保持されている可逆ユニット１０のロック片１３は、その第３頂部１３ｆが第２表示窓１０ｇの周壁頂部１０ｇ１に対向した状態となる。
図６（ａ）に示すように、周壁頂部１０ｇ１近くの天板１０ｂ１の表面には「ＯＦＦ」という文字が表記されており、外部から第２表示窓１０ｇを見ると、周壁頂部１０ｇ１に対向している第３頂部１３ｆが、「ＯＦＦ」を指した状態となる。
【００２６】
図７（ａ），（ｂ）は、左側の電磁接触器１ｂが閉路（ＯＮ）状態（投入状態）となり、右側の電磁接触器１ａが開路（ＯＦＦ）状態（釈放状態）となっているときの可逆ユニット１０の動作を示す図である。
投入状態の左側の電磁接触器１ｂは、動作表示片４ｂが表示窓３ｂの右側から左側に移動するので、動作表示片４ｂに連結駒１２ｄが連結している可逆ユニット１０の第２連動板１２は、図６（ａ）の位置から図７（ａ）に示す矢印Ａ方向に移動する。一方、釈放状態の右側の電磁接触器１ａは、動作表示片４ａが表示窓３ａの右側に位置しているので、動作表示片４ａに連結駒１１ｄが連結している可逆ユニット１０の第１連動板１１は移動しない（図６（ａ）で示した位置と同一位置）。
【００２７】
このとき、可逆ユニット１０のロック片１３は、第１連動板１１のピン係合穴１１ｃに係合している回動ピン１３ｄを回動中心として、第２頂部１３ｃ側（回動ピン１３ｅ側）が第２連動板１２とともに矢印Ａ方向側に回動していき、第３頂部１３ｆの厚み方向周面であるロック面１３ｇが、第２表示窓１０ｇの第２傾斜周壁１０ｇ３に当接した状態となる。
【００２８】
図７（ａ）に示すように、第２傾斜周壁１０ｇ３近くの天板１０ｂ１の表面には「Ｌ  ＯＮ」という文字が表記されており、外部から第２表示窓１０ｇを見ると、第３頂部１３ｆが、「Ｌ  ＯＮ」を指した状態となる。
ここで、第３頂部１３ｆのロック面１３ｇが第２表示窓１０ｇの第２傾斜周壁１０ｇ３に当接することで、ロック片１３の回動ピン１３ｄ側は矢印Ａ方向側への回動が阻止されるので、第１連動板１１は、第２連動板１２とともに矢印Ａ方向側へ移動することができない。
【００２９】
図８（ａ），（ｂ）は、右側の電磁接触器１ａが閉路（ＯＮ）状態（投入状態）となり、左側の電磁接触器１ｂが開路（ＯＦＦ）状態（釈放状態）となったときの可逆ユニット１０の動作を示す図である。
投入状態の右側の電磁接触器１ａは、動作表示片４ａが表示窓３ａの右側から左側に移動するので、動作表示片４ａに連結駒１１ｄが連結している可逆ユニット１０の第１連動板１１は、図６（ａ）の位置から図８（ａ）に示す矢印Ａ方向に移動する。一方、釈放状態の左側の電磁接触器１ｂは、動作表示片４ｂが表示窓３ｂの右側に位置しているので、動作表示片４ｂに連結駒１２ｄが連結している可逆ユニット１０の第２連動板１２は移動しない（図６（ａ）で示した位置と同一位置）。
【００３０】
このとき、可逆ユニット１０のロック片１３は、第１連動板１１のピン係合穴１２ｃに係合している回動ピン１３ｅを回動中心として、第１頂部１３ｂ側（回動ピン１３ｄ側）が第１連動板１１とともに矢印Ａ方向側に回動していき、第３頂部１３ｆのロック面１３ｇが、第２表示窓１０ｇの第１傾斜周壁１０ｇ２に当接した状態となる。
図８（ａ）に示すように、第１傾斜周壁１０ｇ２近くの天板１０ｂ１の表面には「Ｒ  ＯＮ」という文字が表記されており、外部から第２表示窓１０ｇを見ると、第３頂部１３ｆが、「Ｒ  ＯＮ」を指した状態となる。
ここで、第３頂部１３ｆのロック面１３ｇが第２表示窓１０ｇの第１傾斜周壁１０ｇ２に当接することで、ロック片１３の回動ピン１３ｄ側は矢印Ａ方向側への回動が阻止されるので、第２連動板１２は、第１連動板１１とともに矢印Ａ方向側へ移動することができない。
【００３１】
次に、上記構成の可逆ユニット１０を備えた可逆形電磁接触器の効果について説明する。
図７（ａ）に示すように、左側の電磁接触器１ｂが投入状態となったときには、可逆ユニット１０の第２連動板１２が矢印Ａ方向に移動することで、可逆ユニット１０のロック片１３の第３頂部１３ｆ（ロック面１３ｇ）が、第２表示窓１０ｇの第２傾斜周壁１０ｇ３に当接する。これにより、可逆ユニット１０の第１連動板１１の矢印Ａ方向への移動が阻止されるので、この第１連動板１１の連結駒１１ｄに動作表示片４ａが連結して釈放状態となっている右側の電磁接触器１ａが投入状態になるのを確実に防止することができる。また、図８（ａ）に示すように、右側の電磁接触器１ａが投入状態となったときには、第１連動板１１が矢印Ａ方向に移動することで、ロック片１３の第３頂部１３ｆ（ロック面１３ｇ）が、第２表示窓１０ｇの第１傾斜周壁１０ｇ２に当接する。これにより、第２連動板１２の矢印Ａ方向への移動が阻止されるので、第２連動板１２の連結駒１２ｄに動作表示片４ｂが連結して釈放状態となっている左側の電磁接触器１ｂが投入状態になるのを確実に防止することができる。
【００３２】
したがって、本実施形態の可逆ユニット１０は、２台の電磁接触器１ａ，１ｂの一方が投入状態となったときに、第１連動板１１及び第２連動板１２の一方の移動とともにロック片１３が回動し、ロック片１３の第３頂部１３ｆが第２表示窓１０ｇの第１傾斜周壁１０ｇ２及び第２傾斜周壁１０ｇ３の何れかに当接し、釈放状態となっている電磁接触器１ａ，１ｂの他方に連結している第１連動板１１及び第２連動板１２の他方の移動を阻止する構造としているので、２台の電磁接触器１ａ，１ｂの同時投入状態を確実に防止することができる。
【００３３】
また、可逆ユニット１０の第２表示窓１０ｇを見た際に、ロック片１３の第３頂部１３ｆが天板１０ｂ１に表記されている「ＯＦＦ」を差している場合には（図６（ａ）参照）、右側の電磁接触器１ａ及び左側の電磁接触器１ｂの両者が釈放状態となっていることを確認することができ、一方、ロック片１３の第３頂部１３ｆが天板１０ｂ１に表記されている「Ｌ  ＯＮ」を差している場合には（図７（ａ）参照）、左側の電磁接触器１ｂのみが投入状態となっていることを確認することができ、さらに、ロック片１３の第３頂部１３ｆが天板１０ｂ１に表記されている「Ｒ  ＯＮ」を差している場合には（図８（ａ）参照）、右側の電磁接触器１ａのみが投入状態となっていることを確認することができるので、２台の電磁接触器１ａ，１ｂの釈放状態・投入状態を容易に確認することができる。
【００３４】
したがって、本実施形態の可逆形電磁接触器を給電回路に接続した誘導電動機は、可逆ユニット１０の第２表示窓１０ｇからロック片１３の第３頂部１３ｆが指す方向を見るだけで、誘導電動機の正転運転・逆転運転を簡単に確認することがでる。
また、第２表示窓１０ｇを形成したユニットフレーム１０ｂ（天板１０ｂ１）は例えば白色系の合成樹脂で形成され、第２表示窓１０ｇから見えるロック片１３（第３頂部１３ｆ）は黒色系の合成樹脂で対となる色にて形成されているので、第３頂部１３ｆが指す「ＯＦＦ」、「Ｌ  ＯＮ」、「Ｒ  ＯＮ」の方向を正確に視認することができる。
【００３５】
さらに、ユニットフレーム１０ｂに形成した第２表示窓１０ｇは、ただ単にロック片１３の第３頂部１３ｆを表示させるのではなく、長手方向の一方側に位置する開口周壁を開口面積を狭める方向に山状に膨出し、第１傾斜周壁１０ｇ２及び第２傾斜周壁１０ｇ３が略同一の傾斜角度で周壁頂部１０ｇ１に向けて延在する形状としており、第３頂部１３ｆ（ロック面１３ｇ）が第２傾斜周壁１０ｇ３に当接することで第１連動板１１の移動を阻止し、第３頂部１３ｆ（ロック面１３ｇ）が第１傾斜周壁１０ｇ２に当接することで、第２連動板１２の移動を阻止する阻止壁を形成している。
【００３６】
このように、本実施形態は、ロック片１３の第３頂部１３ｆを表示させる第２表示窓１０ｇの開口周壁（第１傾斜周壁１０ｇ２及び第２傾斜周壁１０ｇ３）が第１連動板１１及び第２連動板１２の阻止壁として機能しているので、特別な部品を追加、或いは複雑な構造を採用することなく、簡便な構造で安価な可逆ユニット１０を提供することができる。
なお、本実施形態では、ユニットフレーム１０ｂを白色系の部材とし、ロック片１３を黒色系の部材として形成したが、ユニットフレーム１０ｂを黒色系の部材とし、ロック片１３を白色系の部材としても、第３頂部１３ｆが指す「ＯＦＦ」、「Ｌ  ＯＮ」、「Ｒ  ＯＮ」の方向を正確に視認することができる。また、白色系の部材及び黒色系の部材に限らず、色彩が反対色のユニットフレーム１０ｂ及びロック片１３であっても、第３頂部１３ｆが指す「ＯＦＦ」、「Ｌ  ＯＮ」、「Ｒ  ＯＮ」の方向を正確に視認することができる。
【符号の説明】
【００３７】
１ａ…右側の電磁接触器、１ｂ…左側の電磁接触器、２ａ，２ｂ…消弧カバー、３ａ，３ｂ…表示窓、４ａ，４ｂ…動作表示片、１０…可逆ユニット、１０ａ…底板、１０ｂ…ユニットフレーム（ユニットケース）、１０ｂ１…天板、１０ｂ２…収納凹部、１０ｃ，１０ｄ…開口部、１０ｅ，１０ｆ…第１表示窓、１０ｇ…第２表示窓（ロック片表示窓）、１０ｇ１…周壁頂部、１０ｇ２…第１傾斜周壁（阻止壁）、１０ｇ３…第２傾斜周壁（阻止壁）、１１…第１連動板、１１ａ…長尺部、１１ｂ…屈曲部、１１ｃ…ピン係合穴、１１ｄ…連結駒、１１ｅ…可逆ユニット動作表示片、１２…第２連動板、１２ａ…長尺部、１２ｂ…屈曲部、１２ｃ…ピン係合穴、１２ｄ…連結駒、１２ｅ…可逆ユニット動作表示片、１３…ロック片、１３ａ…板状本体、１３ｂ…第１頂部、１３ｃ…第２頂部、１３ｄ，１３ｅ…回動ピン、１３ｆ…第３頂部、１３ｇ…ロック面、「Ｒ  ＯＮ」…第１表示部、「Ｌ  ＯＮ」…第２表示部
【図１】
0005526920.tif 000002
【図２】
0005526920.tif 000003
【図３】
0005526920.tif 000004
【図４】
0005526920.tif 000005
【図５】
0005526920.tif 000006
【図６】
0005526920.tif 000007
【図７】
0005526920.tif 000008
【図８】
0005526920.tif 000009
【図９】
0005526920.tif 000010
【図１０】
0005526920.tif 000011